(57)【特許請求の範囲】
【請求項１】
少なくとも一部が透明材質で形成された調理パネル；
前記調理パネル上に載置される調理容器を誘導加熱するように磁場を発生させる誘導コイル；
少なくとも一つの光を発散させ、前記誘導コイルの外郭に配置される少なくとも一つの光源；
前記少なくとも一つの光源から発散する前記少なくとも一つの光の進行方向を転換させて前記少なくとも一つの光を集光させる光学部材；および
前記光学部材をカバーするように設けられ、前記調理パネルから離隔されるカバー；を含み、
前記カバーには、前記調理容器に炎イメージを形成させるように前記光学部材から出射された光を通過させるメインスリットが形成され、
前記調理パネルには、前記カバーのメインスリットを通過した光を通過させるように補助スリットが形成されたことを特徴とする、誘導加熱調理機器。
【請求項２】
前記光学部材は凸レンズを含むことを特徴とする、請求項１に記載の誘導加熱調理機器。
【請求項３】
前記凸レンズの入射面は平面で形成され、前記調理パネルに傾斜して形成されたことを特徴とする、請求項２に記載の誘導加熱調理機器。
【請求項４】
前記凸レンズの出射面は外側に膨らんだ曲面で形成され、前記メインスリットを眺めるように設けられたことを特徴とする、請求項２に記載の誘導加熱調理機器。
【請求項５】
前記凸レンズの入射面は前記少なくとも一つの光源の少なくとも一つのチップから発散する前記少なくとも一つの光をカバーするように十分な長さを有することを特徴とする、請求項２に記載の誘導加熱調理機器。
【請求項６】
前記凸レンズの入射面は前記少なくとも一つの光源の少なくとも一つのチップから発散する前記少なくとも一つの光を相互混合するための腐食パターンを有することを特徴とする、請求項２に記載の誘導加熱調理機器。
【請求項７】
前記凸レンズは内部に、側面視において三角形状の空き空間を有することを特徴とする、請求項２に記載の誘導加熱調理機器。
【請求項８】
前記光学部材は前記少なくとも一つの光源に対応する少なくとも一つの反射レンズを含むことを特徴とする、請求項１に記載の誘導加熱調理機器。
【請求項９】
前記少なくとも一つの反射レンズのうち反射レンズは接近した光を投射させずに前記少なくとも一つの光のうち少なくとも一つの光を反射させる反射面を含むことを特徴とする、請求項８に記載の誘導加熱調理機器。
【請求項１０】
前記反射レンズの反射面に進行した光は前記反射レンズの出射面側に反射されることを特徴とする、請求項９に記載の誘導加熱調理機器。
【請求項１１】
前記反射レンズの入射面は光を集光するように反射レンズの内側に膨らんだ球面で形成されたことを特徴とする、請求項８に記載の誘導加熱調理機器。
【請求項１２】
全反射レンズの出射面は光を集光するように反射レンズの外側に膨らんだ球面で形成され、前記メインスリットを眺めるように設けられたことを特徴とする、請求項８に記載の誘導加熱調理機器。
【請求項１３】
前記光学部材は前記少なくとも一つの光源のうち一つの光源で複数の光を形成する分割レンズを含むことを特徴とする、請求項１に記載の誘導加熱調理機器。
【請求項１４】
前記分割レンズは一つの共通入射面と、複数の出射面を有することを特徴とする、請求項１３に記載の誘導加熱調理機器。
【請求項１５】
前記分割レンズは中心面を基準として左右対称であることを特徴とする、請求項１３に記載の誘導加熱調理機器。
【請求項１６】
前記少なくとも一つの光源は複数の光源であり、前記光学部材は前記複数の光源から一つの光を形成する重畳レンズを含むことを特徴とする、請求項１に記載の誘導加熱調理機器。
【請求項１７】
前記重畳レンズは複数の入射面と、一つの共通出射面を有することを特徴とする、請求項１６に記載の誘導加熱調理機器。
【請求項１８】
前記重畳レンズは中心面を基準として左右対称であることを特徴とする、請求項１６に記載の誘導加熱調理機器。
【請求項１９】
前記光学部材は凹面鏡を含むことを特徴とする、請求項１に記載の誘導加熱調理機器。
【請求項２０】
前記凹面鏡は前記少なくとも一つの光を集光するように窪んだ反射面を含むことを特徴とする、請求項１９に記載の誘導加熱調理機器。
【請求項２１】
前記光学部材は円弧状の導光バーを含むことを特徴とする、請求項１に記載の誘導加熱調理機器。
【請求項２２】
前記導光バーの両端部に複数の入射面が形成されたことを特徴とする、請求項２１に記載の誘導加熱調理機器。
【請求項２３】
前記導光バーは前記調理パネルに対して傾斜して設けられる反射面を含むことを特徴とする、請求項２１に記載の誘導加熱調理機器。
【請求項２４】
前記導光バーは、前記入射面を通じて入射された前記少なくとも一つの光を前記メインスリット側に反射させるように、反射面に前記導光バーの長さ方向に沿って相互離隔するように形成される複数の反射パターンを含むことを特徴とする、請求項２２に記載の誘導加熱調理機器。
【請求項２５】
前記少なくとも一つの炎イメージは複数の炎イメージであり、前記調理容器のために形成される前記炎イメージの個数は前記反射パターンの個数に対応する
ことを特徴とする、請求項２４に記載の誘導加熱調理機器。
【発明の詳細な説明】
【技術分野】
【０００１】
本発明は調理容器の加熱状態を容易に認知することができるように容器に仮想の炎イメージを表示する誘導加熱調理機器に関するものである。
【背景技術】
【０００２】
誘導加熱調理機器は誘導加熱の原理を利用して食品を加熱調理する調理機器である。誘導加熱調理機器は調理容器が載置される調理台と、電流が印加されると磁場を発生させる誘導コイルを具備する。
【０００３】
誘導コイルに電流が印加されて磁場が発生すると調理容器に２次電流が誘導され、調理容器自体の抵抗成分によってジュール熱が発生することになる。したがって、調理容器が加熱されて調理容器に入れられた食品が調理される。
【０００４】
このような誘導加熱調理機器は、ガスや油などの化石燃料を燃焼させてその燃焼熱を通じて調理容器を加熱するガスレンジや石油コンロなどに比べて急速加熱が可能で、有害ガスの発生がなく、火災発生の危険がないという長所がある。
【０００５】
ただし、誘導加熱調理機器は調理容器の加熱時に炎が発生しないため、外部から調理容器の加熱状態を直観的に認知することが困難な面がある。
【０００６】
そこで、誘導加熱調理機器に調理容器の加熱状態を表示するようにレベルメーター形式のデジタルディスプレイが具備されたりもする。ただし、このようなデジタルディスプレイは認知性が劣っているため、使用者が誘導加熱調理機器から一定距離以上離れるかよく観察しないと認知が困難であるだけでなく、認知できたとしても使用者に即座に感覚を提供することが難い。
【発明の概要】
【発明が解決しようとする課題】
【０００７】
本発明の一側面は調理容器に仮想の炎イメージを表示する誘導加熱調理機器を開示する。
【０００８】
本発明の一側面は、光源とメインスリット間の距離公差を最小化することによって炎イメージの品質および製品の信頼性を向上させた誘導加熱調理機器を開示する。
【０００９】
本発明の一側面は多様な実施例の光学部材を有する光源ユニットを有する誘導加熱調理機器を開示する。
【課題を解決するための手段】
【００１０】
本発明の思想によれば、誘導加熱調理機器は光を通過させる補助スリットを有する調理台；と、前記調理台上に載置された調理容器を誘導加熱するように磁場を発生させる誘導コイル；と、前記誘導コイルの外郭に配置される少なくとも一つの光源；と、前記光源から発散する光の進行方向を転換させて集光させる光学部材；および前記調理容器に炎イメージを形成させるように前記光学部材から出射された光を通過させるメインスリット；を含む。
【００１１】
前記光学部材は凸レンズを含むことができる。
【００１２】
前記凸レンズの入射面は平面で形成され、前記調理台に傾斜して形成され得る。
【００１３】
前記凸レンズの出射面は外側に膨らんだ曲面で形成され、前記メインスリットを眺めるように設けられ得る。
【００１４】
前記凸レンズの入射面は前記光源モジュールの少なくとも一つのチップから発散する光をすべてカバーするように十分な長さを有することができる。
【００１５】
前記凸レンズの入射面は前記光源の複数のチップから発散する光を相互混合するための腐食パターンを有することができる。
【００１６】
前記凸レンズは内部に、側面視において三角形状の空き空間を有することができる。
【００１７】
前記光学部材は全反射レンズを含むことができる。
【００１８】
前記全反射レンズは接近した光を投射させず全部反射させる全反射面を含むことができる。
【００１９】
前記全反射レンズの全反射面に進行した光は前記全反射レンズの出射面側に反射され得る。
【００２０】
前記全反射レンズの入射面は光を集光するように全反射レンズの内側に膨らんだ球面で形成され得る。
【００２１】
前記全反射レンズの出射面は光を集光するように全反射レンズの外側に膨らんだ球面で形成され、前記メインスリットを眺めるように設けられ得る。
【００２２】
前記光学部材は一つの光源で複数の光を形成する分割レンズを含むことができる。
【００２３】
前記分割レンズは一つの共通入射面と、複数の出射面を有することができる。
【００２４】
前記分割レンズは中心面を基準として左右対称であり得る。
【００２５】
前記光学部材は複数の光源から一つの光を形成する重畳レンズを含むことができる。
【００２６】
前記重畳レンズは複数の入射面と、一つの共通出射面を有することができる。
【００２７】
前記分割レンズは中心面を基準として左右対称であり得る。
【００２８】
前記光学部材は凹面鏡を含むことができる。
【００２９】
前記凹面鏡は光を集光するように窪んだ反射面を含むことができる。
【００３０】
前記光学部材は円弧状の導光バーを含むことができる。
【００３１】
前記導光バーの両端部に複数の入射面が形成され得る。前記導光バーは前記調理台に対して傾斜して設けられる反射面を含むことができる。
【００３２】
前記導光バーは、前記入射面を通じて入射された光を前記メインスリット側に反射させるように、前記反射面に前記導光バーの長さ方向に沿って相互離隔するように形成される複数の反射パターンを含むことができる。
【００３３】
前記反射パターンの個数だけ前記調理容器に炎イメージが形成され得る。
【００３４】
他の側面で本発明の思想によれば、誘導加熱調理機器は補助スリットを有する調理台；と、磁場を発生させる誘導コイル；と、前記誘導コイルの外郭に配置される複数の光源と、前記複数の光源が実装された印刷回路基板を有する光源モジュール；と、前記光源モジュールから発散する光の進行方向を転換させて集光させる凸レンズ；および前記調理容器に炎イメージを形成させるように前記凸レンズから出射される光を通過させるメインスリットを有する光源カバー；を含む。
【００３５】
前記凸レンズの入射面は平面で形成され、前記調理台に傾斜して形成され得る。前記凸レンズの出射面は外側に膨らんだ曲面で形成され、前記メインスリットを眺めるように設けられ得る。
【００３６】
前記凸レンズの入射面は前記光源モジュールの少なくとも一つのチップから発散する光をすべてカバーするように十分な長さを有することができる。
【００３７】
前記凸レンズの入射面は前記光源の複数のチップから発散する相互混合するための腐食パターンを有することができる。
【００３８】
前記腐食パターンは前記凸レンズの成形時に前記凸レンズとともに成形され得る。
【００３９】
前記凸レンズは内部に、側面視において三角形状の空き空間を有することができる。
【００４０】
前記凸レンズは前記光源を収容する収容空間を有することができる。
【００４１】
前記凸レンズは半球状の外観を有する半球部と、前記半球部より外側に突出する突出部を含むことができる。
【００４２】
前記凸レンズは前記光源の数だけ設けられ得る。
【００４３】
前記光源モジュールで上方から発散する光は前記凸レンズを経て進行方向が内側に上向き傾斜して転換され得る。
【００４４】
前記誘導加熱調理機器は前記凸レンズを支持するベース部をさらに含むことができる。
【００４５】
前記ベース部は下部に水平に形成される底部と、底部から所定高さに延長される垂直部と、垂直部から水平に延長されるフランジ部を含むことができる。
【００４６】
前記凸レンズと前記ベース部は一体に形成され得る。
【００４７】
また別の側面で本発明の思想によれば、誘導加熱調理機器は、少なくとも一部が透明材質で形成される調理パネルと、前記調理パネルの底面に設けられて補助スリットを有する光遮断層を含む調理台；と、磁場を発生させる誘導コイル；と、前記誘導コイルの外郭に配置される少なくとも一つの光源；と、前記光源モジュールから発散する光の進行方向を転換させて集光させる光学部材；と、前記調理容器に炎イメージを形成させるように前記光学部材から発散する光を通過させるメインスリットを有する光源カバー；および前記補助スリットを通じて前記光源から発散する光が使用者の視野に直接露出されることを最小化するように前記調理パネルの上面に設けられる遮断膜；を含む。
【００４８】
また別の側面で本発明の思想によれば、誘導加熱調理機器は調理容器が載置される調理台；と、前記調理台上に載置された調理容器を誘導加熱するように磁場を発生させる誘導コイル；と、発光面が垂直上方に向かうように設けられる光源；と、前記光源から発散する光の方向を前記調理台に対して傾斜させて転換させる光学部材；および前記光学部材から出射された光の一部を通過させて前記調理容器に炎イメージを形成させるスリット；を含む。
【発明の効果】
【００４９】
本発明の思想によれば、誘導加熱調理機器は調理容器の下端の表面に炎イメージを形成するため、使用者が調理容器の加熱状態を直観的に容易に認知することができる。
【００５０】
本発明の思想によれば、調理容器に形成される仮想の炎イメージは実際の炎と類似の高さ、幅、立体感、濃淡を有することができる。
【００５１】
本発明の思想によれば、光源とメインスリット間の距離公差が最小化されて炎イメージの品質および製品の信頼性を向上させることができる。
【００５２】
本発明の思想によれば、光の方向を転換させて集光させる光学部材を多様な形態で具現することができるため実際の製品の仕様に合わせて最適化することができる。
【００５３】
本発明の思想によれば、光源としてＷＬＥＤまたはＲＧＢＬＥＤなどを使用することができ、複数の光源を個別制御することができるため多様な炎の演出が可能である。
【００５４】
本発明の思想によれば、遮断膜によって光源から発散する光が直接使用者に露出されることを最小化できるため、炎が人為的であるという感じがなく、製品の審美感を向上させることができる。
【００５５】
本発明の思想によれば、光源カバーのカバー部は補助スリットよりも誘導コイルに近い方向に延長されるため、補助スリットを通じて誘導加熱調理機器の内部が露出されることを防止できる。
【図面の簡単な説明】
【００５６】
【図１】本発明の第１実施例に係る誘導加熱調理機器を有するオーブンレンジの外観を図示した図面。
【図２】図１の誘導加熱調理機器の主な構成を分解して図示した図面。
【図３】図１の誘導加熱調理機器の調理台を除いて図示した平面図。
【図４】図１の誘導加熱調理機器の調理台を分解して図示した図面。
【図５】図１の誘導加熱調理機器の光源ユニットを分解して図示した図面。
【図６】図１の誘導加熱調理機器のメインボードと基板支持台の結合構造を説明するための図面。
【図７】図１の誘導加熱調理機器の基板支持台と印刷回路基板の結合構造を説明するための図面。
【図８】図１の誘導加熱調理機器の光源モジュールと、光学部材と、光源カバーの結合関係を説明するための図面。
【図９】図１の誘導加熱調理機器の光源カバーを図示した平面図。
【図１０】図１の誘導加熱調理機器の凸レンズを図示した斜視図。
【図１１】図１の誘導加熱調理機器の凸レンズを図示した断面図。
【図１２】図１の誘導加熱調理機器のＬＥＤがＲＧＢの３個のチップを有する時、凸レンズの入射面の長さを説明するための図面。
【図１３】図１の誘導加熱調理機器のＬＥＤがＲＧＢの３個のチップを有する時、赤色光、緑色光、青色光を混合するためにレンズの入射面に形成される腐食パターンを図示した図面であって、図１２のＡ部分を拡大して図示した図面。
【図１４】図１の誘導加熱調理機器のＬＥＤがＷＨＩＴＥの１個のチップを有する時、凸レンズの入射面の長さを説明するための図面。
【図１５】図１の誘導加熱調理機器の凸レンズの他の実施例。
【図１６】図１の誘導加熱調理機器の炎が形成される構造を説明するための概略図。
【図１７】図１の誘導加熱調理機器の炎が形成される構造を説明するための断面図。
【図１８】図１の誘導加熱調理機器の遮断膜について説明するための図面である。
【図１９】図１の誘導加熱調理機器に置かれた調理容器の表面の横ヘアーラインの作用を図示した図面。
【図２０】図１の誘導加熱調理機器に置かれた調理容器の表面に仮想の炎イメージが形成された状態を図示した図面。
【図２１】本発明の第２実施例に係る誘導加熱調理機器の主な構成を概略的に図示した図面。
【図２２】本発明の第３実施例に係る誘導加熱調理機器の主な構成を概略的に図示した図面。
【図２３】本発明の第４実施例に係る誘導加熱調理機器の主な構成を概略的に図示した図面。
【図２４】本発明の第５実施例に他の誘導加熱調理機器の主な構成を概略的に図示した図面。
【図２５】図２４の誘導加熱調理機器の全反射レンズの構造を図示した斜視図。
【図２６】図２４の誘導加熱調理機器の全反射レンズの作用を説明するための図面。
【図２７】本発明の第６実施例に係る誘導加熱調理機器の主な構成を概略的に図示した図面。
【図２８】図２７の誘導加熱調理機器の分割レンズの構造を図示した図面。
【図２９】図２７の誘導加熱調理機器の分割レンズの作用を説明するための図面。
【図３０】本発明の第７実施例に係る誘導加熱調理機器の主な構成を概略的に図示した図面。
【図３１】図３０の誘導加熱調理機器の重畳レンズの構造を図示した図面。
【図３２】図３０の誘導加熱調理機器の重畳レンズの作用を説明するための図面。
【図３３】本発明の第８実施例に係る誘導加熱調理機器の主な構成を概略的に図示した図面。
【図３４】図３３の誘導加熱調理機器の凹面鏡の構造を図示した斜視図。
【図３５】図３３の誘導加熱調理機器の凹面鏡の作用を説明するための図面。
【図３６】本発明の第９実施例に係る誘導加熱調理機器の主な構成を概略的に図示した図面。
【図３７】図３６の誘導加熱調理機器の導光バーの構造を図示した図面。
【図３７】図３６の誘導加熱調理機器の導光バーの反射パターンを図示した図面。
【図３９】図３６の誘導加熱調理機器の導光バーの作用を説明するための図面。
【図４０】図１の誘導加熱調理機器の操作部を拡大して図示した図面。
【図４１】図１の誘導加熱調理機器の操作部を拡大して図示した図面。
【発明を実施するための形態】
【００５７】
以下、本発明に係る好ましい実施例を詳細に説明する。
【００５８】
図１は本発明の第１実施例に係る誘導加熱調理機器を有するオーブンレンジの外観を図示した図面である。図２は図１の誘導加熱調理機器の主な構成を分解して図示した図面である。図３は図１の誘導加熱調理機器の調理台を除いて図示した平面図である。
【００５９】
図１〜図３を参照すると、オーブンレンジ１は下部に設けられるオーブン１０と、上部に設けられる誘導加熱調理機器１００を含んで一体に形成され得る。本発明の実施例に係る誘導加熱調理機器１００はこのようにオーブン１０と一体に設けることもでき、またはオーブン１０とは別途に単独で設けることもできる。
【００６０】
オーブン１０はガスまたは電気を利用して高温の熱を発生させ、空気の対流によってキャビティー内部の飲食物を調理することができる。オーブンレンジ１の前面にはオーブン１０のドア１１、１２が設けられ、オーブン１０のドア１１、１２はヒンジ軸を中心に回動して開閉され得る。オーブン１０のドア１１、１２の上端にはオーブン１０または誘導加熱調理機器１００の作動状態を表示するディスプレイ装置１３と、オーブン１０または誘導加熱調理機器１００の出力レベルの入力を受ける操作部１４が設けられ得る。
【００６１】
誘導加熱調理機器１００は本体１１０と、調理容器が載置される調理台１２０と、調理容器を誘導加熱するように磁場を発生させる誘導コイル１３０と、光を発散させる光源ユニット１４０と、誘導コイル１３０および光源ユニット１４０に電力を供給したり遮断する電力供給装置と、光源ユニット１４０の点灯、消灯、明るさなどを制御する光源コントローラ１１５と、各種電装品および光源ユニット１４０を冷却させる冷却装置１１６と、誘導加熱調理機器１００の動作情報を表示する補助ディスプレイ装置１１９を含むことができる。
【００６２】
本体１１０は、概略上面が開放されたボックスの形態で設けられ、本体１１０の開放された上面に調理台１２０が結合され得る。本体１１０の内部にはメインボード１１１が設けられ、メインボード１１１により誘導コイル１３０が支持され得る。メインボード１１１の下側には機械室１１４が形成され得る。
【００６３】
調理台１２０は調理容器を水平に支持するように平坦な形状を有することができる。
【００６４】
誘導コイル１３０は調理台１２０の下に水平に配置される。誘導コイル１３０はメインボード１１１に装着される誘導コイル支持台（１３１、図１７）の上に装着され得る。本実施例において誘導コイル１３０は大型１個、中型２個、小型１個の合計４個か設けられているが、誘導コイル１３０の個数に制限はない。
【００６５】
本実施例において誘導コイル１３０は、概略円形で設けられる。ただし、これに限定されず、四角形またはその他の多様な形状で設けられることも可能である。
【００６６】
誘導コイル１３０に電流が印加されると誘導コイル１３０は垂直方向に磁場を形成することができる。この磁場によって調理台１２０に載置された調理容器に２次電流が誘導され、調理容器自体の抵抗成分によってジュール熱が発生する。したがって、調理容器が加熱され、これによって、調理容器に入れられた食品が調理され得る。調理容器は鉄成分を有するか磁性を有さなければならない。
【００６７】
光源ユニット１４０は誘導コイル１３０の個数だけ設けられ得る。光源ユニット１４０は基板支持台１１２の上に装着され得る。基板支持台１１２に対しては後述する。光源ユニット１４０は誘導コイル１３０の半径方向の外側に円周方向に沿って設けられ得る。
【００６８】
概略円の形状に形成された誘導コイルに関する本実施例において光源ユニット１４０は誘導加熱調理機器の前方に概略１２０度の角度範囲で設けられているが、これに限定されるものではない。一例として、光源ユニット１４０は１８０度または３６０度の範囲に設けられることもある。ただし、一般的に誘導加熱調理機器は台所の壁面に配置され、使用者は主に誘導加熱調理機器の前面だけを見るため、誘導加熱調理機器の後面および側面に光源ユニット１４０を配置することは不要であり、概略１２０度の範囲にだけ設けられても本発明の効果を達成することができる。
【００６９】
光源ユニット１４０は誘導コイル１３０に電流が印加されて調理容器が加熱される時、調理容器の加熱状態を直観的に認知することができるように調理容器の下端の表面に炎イメージを形成させることができる（図２０）。このとき、調理容器はまるで光が投影されるスクリーンのような役割をする。
【００７０】
光源ユニット１４０は光源（１５１、図５）と印刷回路基板（１５６、図５）を有する光源モジュール（１５０、図５）と、光源モジュール１５０から発散する光を調理容器の下端の方向に案内して集光させる光学部材（１６０、図５）と、光学部材１５０から発散する光を通過させて調理容器の下端に炎イメージを形成させるメインスリット（１８３、図５）を有する光源カバー（１８０、図５）を含むことができる。光源ユニット１４０の詳しい構成については後述する。
【００７１】
光源コントローラ１１５は光源の点灯、消灯、明るさなどを制御することができる。光源コントローラ１１５は光源に印加される電流の量を調節して仮想の炎の大きさおよび明るさを調節することができる。
【００７２】
また、光源モジュール１４０に複数の光源が含まれた場合、光源コントローラ１１５は複数の光源全体を一度に制御することもでき、個別制御することもでき、区画に分けて分割制御したり順次制御することもできる。したがって、炎イメージの多様な演出が可能である。一例として、加熱の開始または終了時に炎を一方向に順次点灯するか消灯し、または一部または全体の炎を短い間隔で点滅させて使用者の注意を引く演出が可能である。
【００７３】
冷却装置１１６は空気を強制流動させる送風ファン１１７と、放熱板１１８と、空気の流れをガイドするダクト（図示せず）を含むことができる。冷却装置１１６は機械室１１４で空気を循環させることによって誘導コイル１３０および光源ユニット１４０で発生する熱を放熱させることができる。
【００７４】
補助ディスプレイ装置１１９はレベルメーター（ｌｅｖｅｌ  ｍｅｔｅｒ）を使って誘導加熱調理機器の作動の有無を表現したりセブンディジットセグメント（７  ｄｉｇｉｔ  ｓｅｇｍｅｎｔ）を使って誘導加熱調理機器の加熱温度または作動時間などを表現することができる。
【００７５】
図４は図１の誘導加熱調理機器の調理台を分解して図示した図面である。図４を参照して、本発明の第１実施例に係る誘導加熱調理機器の調理台について説明する。
【００７６】
調理台１２０は調理容器を支持する。調理台１２０は透明材質の調理パネル１２１と、調理パネル１２１の底面に設けられて補助スリット１２４を有する光遮断層１２３を含む。
【００７７】
調理パネル１２１は平板の形態を有し、調理容器を支持できる十分な強度と、熱に耐える耐熱性を有さなければならない。このために調理パネル１２１は強化耐熱ガラスまたは強化セラミック材質で形成され得る。
【００７８】
調理パネル１２１は光源ユニット１４０から発散する光が通過して調理容器に投影されるように透明材質で形成される。ただし、調理パネル１２１は光源ユニット１４０から発散する光の中から調理機器に炎イメージを形成させる一部の光だけを通過させればよいため、調理パネル１２１全体が透明である必要はなく、一部だけが透明に形成されてもよい。
【００７９】
すなわち、調理パネル１２１の全体領域を透明材質で設けず、調理容器に向かう光が通過できる一部領域だけを透明材質で設け、残りの領域は不透明の材質で設けて、調理パネル１２１の製造費用を節減させることもできる。
【００８０】
光遮断層１２３は調理パネル１２１の下側に設けられた各種付属品が外部に露出されることを防止する。したがって、光遮断層１２３は光透過率の低い黒色を有し得る。
【００８１】
光遮断層１２３には調理容器に向かう光を遮断しないように補助スリット１２４が形成される。補助スリット１２４は光源ユニット１４０から発散されて光源カバー（１８０、図１７）のメインスリット（１８３、図１７）を通過した光が光遮断層１２３に遮断されずに調理容器に投影されるようにする。補助スリット１２４はメインスリット１８３の（上側である）上方の半径方向内側に形成され得る。
【００８２】
補助スリット１２４は炎イメージの大きさに影響を及ぼさないことが好ましい。それは、補助スリット１２４はメインスリット１８３より光源（１５１、図１７）から遠く離れているため、光源１５１との距離公差がさらに大きくなる可能性があるからである。
【００８３】
したがって、メインスリット１８３を通過した光を遮断せずにそのまま通過させることができるように補助スリット１２４の厚さ（Ｄ２、図１７）はメインスリット１８３の厚さ（Ｄ１、図１７）よりも大きく形成されることが好ましい。
【００８４】
補助スリット１２４は円弧状であって、円周方向に沿って概略１２０度範囲に形成され得る。ただし、これに限定されず、１８０度または３６０度などの多様な角度範囲に形成され得る。
【００８５】
補助スリット１２４は円周方向に沿って連続的に形成され得る。ただし、これに限定されず、複数の光の個数に対応するように非連続的に形成されることも可能である。
【００８６】
光遮断層１２３は補助ディスプレイ装置（１１９、図２）から発散する光が通過できるＵＩホール１２５を含むことができる。
【００８７】
光遮断層１２３は別途のシート形態で設けられて接着部材によって調理パネル１２１の底面に付着され得る。
【００８８】
または、光遮断層１２３は調理パネル１２１の底面に印刷され得る。印刷方法としてはガラス印刷が利用され得る。ガラス印刷はガラスにパターンを施した後、インクをガラスに吹き付けて陶磁器を焼くように高温で加熱してガラスにインクを浸み込ませる印刷方法である。
【００８９】
調理台１２０は光源ユニット１４０の光が使用者に直接露出されることを最小化して光源１５１を隠蔽させるように調理パネル１２１の上面に設けられる遮断膜１２７を含むことができる。遮断膜１２７は光透過率の低い黒色を有し得る。
【００９０】
遮断膜１２７は円弧状であって、円周方向に沿って概略１２０度範囲に形成され得る。ただし、これに限定されず、１８０度または３６０度などの多様な角度範囲で形成され得る。
【００９１】
遮断膜１２７は補助スリット１２４の垂直上方で半径方向外側に延長されるように設けられることが好ましい。このように、遮断膜１２７が補助スリット１２４の垂直上方で半径方向の外側に配置されると、光源ユニット１４０から調理容器に上向き傾斜して進行する光を遮断することなく補助スリット１２４を通過した光が使用者の視野に直接露出されることを最小化することができるためである（図１８参照）。
【００９２】
遮断膜１２７によって光源１５１が使用者に直接露出されることが最小化されるため、使用者は光源１５１の存在を認知できず、したがって、炎イメージが人為的に形成された感じを与えず、製品の審美感を向上させることができる。
【００９３】
遮断膜１２７は別途のシート形態で設けられて接着部材によって調理パネル１２１の上面に付着され得る。または、遮断膜１２７は調理パネル１２１の上面に印刷され得る。印刷方法としてガラス印刷を利用することができる。
【００９４】
調理台１２０は調理容器の適正位置を案内する容器案内線１２２を含むことができる。容器案内線１２２は、概略誘導コイル１３０の大きさに対応する大きさを有することができる。容器案内線１２２は印刷または付着によって形成され得る。
【００９５】
図５は図１の誘導加熱調理機器の光源ユニットを分解して図示した図面である。図６は図１の誘導加熱調理機器のメインボードと基板支持台の結合構造を説明するための図面である。図７は図１の誘導加熱調理機器の基板支持台と印刷回路基板の結合構造を説明するための図面である。図８は図１の誘導加熱調理機器の光源モジュールと、光学部材と、光源カバーの結合構造を説明するための図面である。図９は図１の誘導加熱調理機器の光源カバーを図示した平面図である。
【００９６】
図５〜図９を参照して、本発明の第１実施例に係る誘導加熱調理機器１００の光源ユニット１４０の構成について説明する。
【００９７】
光源ユニット１４０は複数の光を発散する光源モジュール１５０と、光源モジュール１５０から発散された光を屈折または反射させて光の進行方向を転換させて集光させる光学部材１６０と、光学部材１６０により進行方向が転換されて集光された光を通過させて調理容器の表面に炎イメージを形成させるメインスリット１８３を有する光源カバー１８０を含むことができる。
【００９８】
光源モジュール１５０は光を発散する光源１５１と、光源１５１が実装されて光源１５１に電力を供給する印刷回路基板１５６を含む。
【００９９】
本実施例においては、光源１５１としてＬＥＤ（Ｌｉｇｈｔ  Ｅｍｉｔｔｉｎｇ  Ｄｉｏｄｅ）が使われた。ＬＥＤ１５１は、大きさが小型であり、発光効率が優れており、寿命が長い長所がある。しかし、光源１５１は必ずしもＬＥＤ１５１だけを含むものではなく、冷陰極蛍光ランプ（Ｃｏｌｄ  Ｃａｔｈｏｄｅ  Ｆｌｕｏｒｅｓｃｅｎｔ  Ｌａｍｐ）、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ）、炭素ナノチューブランプ（Ｃａｒｂｏｎ  ｎａｎｏｔｕｂｅ  Ｌａｍｐ）などの多様な発光手段を含むことができる。
【０１００】
光源モジュール１５０は調理容器に形成させようとする炎イメージの個数だけのＬＥＤ１５１を有することができる。すなわち、ＬＥＤ１５１一個当たり一つの炎イメージを形成することができる。ＬＥＤ１５１は誘導コイル１３０の円周方向に沿って所定間隔離隔するように配列され得る。ＬＥＤ１５１は誘導加熱調理機器１００の前方の概略１２０度の角度範囲で配列され得る。ただし、これに限定されず、１８０度または３６０度範囲などでも配列できることはいうまでもない。
【０１０１】
ＬＥＤ１５１は一つのチップを有する白色ＬＥＤであるか（図１４）３個のチップを有するＲＧＢＬＥＤ（図１１、図１２）であり得る。赤色、緑色、青色のＲＧＢＬＥＤを使う場合に各色相を組み合わせて実際の炎にさらに類似の色相を具現することができる。
【０１０２】
本実施例において、ＬＥＤ１５１は印刷回路基板１５６の上に実装されて使われるＳＭＤ（Ｓｕｒｆａｃｅ  Ｍｏｕｎｔ  Ｄｅｖｉｃｅ）型ＬＥＤイであるが、印刷回路基板１５６上にＬＥＤチップ自体が実装されてモールディングされるＣＯＢ（Ｃｈｉｐ  Ｏｎ  Ｂｏｒａｄ）型ＬＥＤが使われることもある。
【０１０３】
ＬＥＤ１５１は印刷回路基板１５６の上面にその発光面が上側に向かうように実装され得る。すなわち、ＬＥＤ１５１は所定の指向角で上方に光を発散することができる。一例として、本実施例においてＬＥＤ１５１の指向角は、概略１２０度であり得る。
【０１０４】
ＬＥＤ１５１が実装される印刷回路基板１５６は調理台１２０に対して水平に設けられる。特に、印刷回路基板１５６は全体的に均一に扁平度を維持できるようにメインボード１１１ではない別途の基板支持台１１２に装着され得る。
【０１０５】
基板支持台１１２はメインボード１１１とは別途成形されてメインボード１１１に結合される。メインボード１１１は大きさが肥大であるため全体的に均一に扁平度を維持するのが難しいが、基板支持台１１２は印刷回路基板１５６の大きさ程度に小さく設けられるのため全体的に均一に扁平度を維持することができる。
【０１０６】
図６によく図示された通り、基板支持台１１２は印刷回路基板１５６が装着されて支持される扁平部１１２ａと、メインボード１１１に結合される結合部１１２ｂを有することができる。扁平部１１２ａは印刷回路基板１５６に実装された複数のＬＥＤ１５１がすべて同じ方向に光を発散させるように屈曲なく扁平に形成され得る。
【０１０７】
結合部１１２ｂは扁平部１１２ａの外郭に突出するように複数個形成され、メインボード１１１にねじなどの締結部材（Ｓ１）により堅固に結合され得る。
【０１０８】
図７によく図示された通り、ＬＥＤ１５１が実装された印刷回路基板１５６は基板支持台１１２の扁平部１１２ａの上面に装着され得る。印刷回路基板１５６は締結部材（Ｓ２）により基板支持台１１２に堅固に結合され得る。
【０１０９】
これによって、印刷回路基板１５６に実装された複数のＬＥＤ１５１は発散する光の方向をすべて同一に形成することができ、したがって、調理容器に形成される複数の炎イメージの大きさおよび明るさが統一性を有することができ、製品の信頼性を向上させることができる。
【０１１０】
光学部材１６０はＬＥＤ１５１から発散する光を屈折または反射させて進行方向を転換させ、光を集光させる。光学部材１６０により光が集光されることによって、光の直進性が向上して炎イメージの明るさが増大することができる。
【０１１１】
本発明の第１実施例に係る誘導加熱調理機器の光学部材１６０は光を屈折させて集光させる凸レンズ１７０と、凸レンズ１７０を支持するベース部１６１を含む。光学部材１６０の凸レンズ１７０とベース部１６１は一体に形成され得る。光学部材１６０の凸レンズ１７０とベース部１６１はシリコンなどの樹脂材質で一体射出成形され得る。または、ガラス材質で成形され得る。
【０１１２】
凸レンズ１７０はＬＥＤ１５１の個数だけ設けられ、ＬＥＤ１５１に対応するように円周方向に沿って相互離隔するように設けられる。
【０１１３】
凸レンズ１７０はＬＥＤ１５１で垂直上方に発散する光の進行方向をメインスリット１８３および調理容器に向かって上向き傾斜させて転換させる。凸レンズ１７０の具体的構成については後述する。
【０１１４】
ベース部１６１は下部に水平に形成される底部（１６２、図１７）と、底部１６２から所定高さに延長される垂直部（１６３、図１７）と、光源カバー１８０に密着結合するように垂直部１６３から水平に延長されるフランジ部（１６４、図１７）を含むことができる。底部１６２には凸レンズ１７０が形成され得る。底部１６２は印刷回路基板１５６に密着するように下側に突出する密着突起（１６２ａ、図１１）を含むことができる。垂直部１６３は誘導コイル１３０で発生する熱が凸レンズ１７０および光源１５１に伝達されることを遮断することができる。光学部材１６０はねじなどの締結部材（Ｓ３）により印刷回路基板１５６および基板支持台１１２に固定できる。
【０１１５】
光源カバー１８０は凸レンズ１７０をカバーして凸レンズ１７０に異物が浸透することを防止することができる。
【０１１６】
光源カバー１８０は半径方向外側の第１カバー部１８１と、半径方向内側の第２カバー部１８２と、第１カバー部１８１と第２カバー部１８２の間に形成されるメインスリット１８３を含む。第１カバー部１８１と第２カバー部１８２は光学部材１６０のフランジ部１６４に密着することができる。
【０１１７】
光源カバー１８０のメインスリット１８３はＬＥＤ１５１から発散する光を通過させて調理容器に炎イメージを形成させる役割をする。光源カバー１８０はＬＥＤ１８１から発散する光の中で調理容器に向かう光はメインスリット１８３を通じて通過させ、残りの光はカバーする。
【０１１８】
メインスリット１８３はＬＥＤ１５１の垂直方向上側の半径方向内側に位置される。したがって、ＬＥＤ１５１から発散する光は上向き傾斜してメインスリット１８３に進行する。
【０１１９】
メインスリット１８３は円周方向に沿って一定の角度の範囲で形成され得る。本実施例においてメインスリット１８３は円周方向に沿って１２０度の範囲で形成されたが、これに限定されず、１８０度または３６０度などの範囲で形成され得ることは言うまでもない。
【０１２０】
メインスリット１８３は所定の厚さ（Ｄ１、図１７）を有して円周方向に沿って連続的に形成され得る。したがって、メインスリット（Ｄ１）は炎イメージの高さにのみ影響を及ぼし、炎イメージの幅には影響を及ぼさないことができる。すなわち、炎イメージの高さはメインスリット（Ｄ１）の厚さによって決定されるが、炎イメージの幅はＬＥＤ１５１および凸レンズ１７０の形状によって決定され得る。
【０１２１】
光源カバー１８０はメインスリット１８３の厚さ（Ｄ１）を一定に維持させて外力によるメインスリット１８３の変形を防止するように、メインスリット１８３に形成される少なくとも一つの補強ブリッジ（１８４、図９）を有することができる。
【０１２２】
補強ブリッジ１８４は第１カバー部１８１と第２カバー部１８２を連結して前記メインスリット１８３を横切るように設けられる。補強ブリッジ１８４は炎イメージに影響を及ぼさないように光と干渉しない位置に一つ以上形成され得る。
【０１２３】
光源カバー１８０は結合突起構造または締結部材によって光学部材１６０に結合され得る。結合突起構造は光源カバー１８０に形成される結合ホール１８５と光学部材１６０に形成される結合突起１６４ａを含むことができる。また、光源カバー１８０は締結部材（Ｓ４）により基板支持台１１２に結合され得る。。
【０１２４】
このような構成によって、結果的に光源モジュール１５０と、光学部材１６０と、光源カバー１８０が一体となって基板支持台１１２に結合され、したがって、光源モジュール１５０のＬＥＤ１５１と、光源カバー１８０のメインスリット１８３間の距離公差が最小化される効果がある。
【０１２５】
光源モジュール１５０のＬＥＤ１５１と、光源カバー１８０のメインスリット１８３間の距離は調理容器に形成される炎イメージの大きさと明るさに最も大きい影響を与える要素であって、本発明の第１実施例に係る誘導加熱調理機器は前述した通り、メインボード１１１とは別途に設けられて高度の平坦度を有する基板支持台１１２に光源モジュール１５０の印刷回路基板１５６が装着され、光源モジュール１５０と光学部材１６０と光源カバー１８０が一体に結合されるため、結果的に、光源モジュール１５０のＬＥＤ１５１と、光源カバー１８０のメインスリット１８３間の距離公差が最小化され、したがって、炎イメージの品質と製品の信頼性を向上させることができる。
【０１２６】
図１０は図１の誘導加熱調理機器の凸レンズを図示した斜視図である。図１１は図１の誘導加熱調理機器の凸レンズを図示した断面図である。図１２は図１の誘導加熱調理機器のＬＥＤがＲＧＢの３個のチップを有する時、凸レンズの入射面の長さを説明するための図面である。図１３は図１の誘導加熱調理機器のＬＥＤがＲＧＢの３個のチップを有する時、赤色光、緑色光、青色光を混合するためにレンズの入射面に形成される腐食パターンを図示した図面であって、図１２のＡ部分を拡大して図示した図面。図１４は図１の誘導加熱調理機器のＬＥＤがＷＨＩＴＥの１個のチップを有する時、凸レンズの入射面の長さを説明するための図面である。図１５は図１の誘導加熱調理機器の凸レンズの他の実施例である。
【０１２７】
図１０〜図１５を参照して、本発明の第１実施例に係る誘導加熱調理機器の凸レンズの構造を説明する。
【０１２８】
凸レンズ１７０はＬＥＤ１５１で垂直上方に発散する光を屈折させてメインスリット１８３に向かってななめに進行方向を転換させ、光を集光させる。
【０１２９】
凸レンズ１７０は半球状の外観を有する半球部１７１と、半球部１７１より外側に突出する突出部１７２を含むことができる。半球部１７１はメインスリット１８３を眺める方向に位置され、突出部１７２はその反対方向に位置される。本実施例において突出部１７２は、概略六面体状を有しているが、突出部１７２の形状に制限はない。
【０１３０】
ただし、突出部１７２は必ずしも必須のものではない。図１５に図示された通り、凸レンズ１７０ｃは突出部がなく単純に半球部１７１ｃだけを含むことができる。その理由は後述する。
【０１３１】
凸レンズ１７０は内部に空き空間１７３を有する。また、凸レンズ１７０はＬＥＤ１５１を収容する収容空間１７４を有することができる。側面視において、空き空間１７３は、概略三角形状を有することができ、収容空間１７４は概略方形状を有することができる。ＬＥＤ１５１から発散された光は三角形状の空き空間１７３で凸レンズ１７０の入射面１７５に向かって進行することができる。
【０１３２】
突出部１７２は凸レンズ１７０の成形を助けるためのものであって、凸レンズ１７０の射出成形時に空き空間１７３の三角形状の頂点１７３ａ付近に樹脂が均一に充填され得るように三角形状の頂点１７３ａ付近と、ここに隣接した突出部１７２の外側面１７２ａまでの間隔（Ｇ１）を広げる役割をする。このように間隔が広くなることによって樹脂の充填時に樹脂が均一に十分に充填され得る。
【０１３３】
凸レンズ１７０は第１入射面１７５と、第２入射面１７６を有することができる。第１入射面１７５はＬＥＤ１５１から発散する光をメインスリット１８３方向に屈折させる。
【０１３４】
第１入射面１７５は平面で形成され、調理台１２０に対して所定の角度に傾斜して形成される。第１入射面１７５は実質的に光の方向をＬＥＤ１５１で垂直上方に発散された光の方向をメインスリット１８３側に転換させるためその扁平度や角度が精密に設計されなければならないが、第２入射面１７６を通過した光はほとんど光源カバー１８０によって遮断されるため第２入射面１７６の形態や角度は自由に設計され得る。
【０１３５】
凸レンズ１７０は第１入射面１７５を経て屈折された光が投射される出射面１７７を有する。出射面１７７はメインスリット１８３を眺めるように設けられる。出射面１７７は所定の曲率を有する球面または曲面であり得る。出射面１７７は外側に膨らんで形成されて光を集光させる。一例として、ＬＥＤ１５１から発散する光の指向角が概略１２０度とする時、凸レンズ１７０を通過した光の指向角は、概略４５度〜６５度に狭められ得る。
【０１３６】
このように、光が集光されることによって、光の直進性が向上し、ＬＥＤ１５１の出力を高くせずとも光の強度を高くすることができる。また、光の屈折効果によって調理容器に形成された炎イメージ（Ｆ）の形状が立体感を有するようになり、さらに実際の炎と類似の効果を有することができる。
【０１３７】
凸レンズ１７０の入射面１７５の長さ（Ｌ１、図１２）と、空き空間１７３の大きさはＬＥＤ１５１のチップ１５２、１５３、１５４の個数と、位置および指向角によって決定され得る。
【０１３８】
一例として、図１２に図示された通り、ＬＥＤ１５１がＲＧＢの３チップ１５２、１５３、１５４を有する場合、入射面１７５の長さ（Ｌ１）は入射面１７５に最も近く位置したチップ１５４から発散する光と、最も遠く位置したチップ１５２から発散する光をすべてカバーできるほどの十分な長さを有さなければならない。
【０１３９】
これに反し、図１４に図示された通り、ＬＥＤ１５１が１個のチップ１５５を有する場合には、凸レンズ１７０ｂの入射面１７５ｂの長さ（Ｌ２）は１個のチップ１５５から発散する光だけをカバーできれば充分である。すなわち、ＬＥＤ１５１が１個のチップ１５５を有する場合の凸レンズ１７０ｂの入射面１７５ｂの長さ（Ｌ２）と、空き空間１７３ｂの大きさはそれぞれＬＥＤ１５１が３個のチップ１５２、１５３、１５４を有する場合の凸レンズ１７０の入射面１７５の長さ（Ｌ１）と、空き空間１７３の大きさより小さい。
【０１４０】
一方、ＬＥＤ１５１がＲＧＢの３チップ１５２、１５３、１５４を有する場合に、各チップ１５２、１５３、１５４の位置が相異するためチップ１５２、１５３、１５４の位置により炎イメージの色が変わり得る。これを防止するために、本発明の実施例に係る凸レンズ１７０の入射面１７５はＲＧＢそれぞれのチップ１５２、１５３、１５４から発散する光を相互混合させて１個の色に発散させる腐食パターン（１７８、図１３）を有することができる。本実施例において腐食パターン１７０は入射面１７５に形成されたが、出射面１７７にも形成され得ることは言うまでもない。
【０１４１】
図１３に図示された通り、腐食パターン１７８は光の屈折角度を多様に変化させることができる凹凸を含むことができる。腐食パターン１７８は凸レンズ１７０の成形時に一緒に成形され得る。すなわち、凸レンズ１７０の成形金型に腐食パターン１７８を形成することによって樹脂が充填完了された腐食パターン１７８が共に完成され得る。
【０１４２】
図１６は図１の誘導加熱調理機器の炎が形成される構造を説明するための概略図である。図１７は図１の誘導加熱調理機器の炎が形成される構造を説明するための断面図である。図１８は図１の誘導加熱調理機器の遮断膜について説明するための図面である。図１９は図１の誘導加熱調理機器に置かれた調理容器の表面の横ヘアーラインの作用を図示した図面である。図２０は図１の誘導加熱調理機器に置かれた調理容器の表面に仮想の炎イメージが形成された状態を図示した図面である。
【０１４３】
図１６〜図２０を参照して、本発明の第１実施例に係る誘導加熱調理機器の炎形成作用について説明する。
【０１４４】
前述した通り、誘導加熱調理機器１００は少なくとも一部が透明材質で形成される調理パネル１２１と、調理パネル１２１の底面に設けられて補助スリット１２４を有する光遮断層１２３と、調理容器（Ｃ）を誘導加熱するように磁場を発生させる誘導コイル１３０と、複数の光源１５１が実装された印刷回路基板１５６を有する光源モジュール１５０と、光源モジュール１５０から発散された光の方向を転換させて集光させる凸レンズ１７０を有する光学部材１６０と、調理容器（Ｃ）に炎イメージ（Ｆ）を形成させるように光源モジュール１５０から発散する光を通過させるメインスリット１８３を有する光源カバー１８０と、光源モジュール１５０の光が使用者に直接露出されることを最小化して光源１５１を隠蔽させるように調理パネル１２１の上面に設けられる遮断膜１２７を含むことができる。
【０１４５】
誘導コイル１３０に電気が印加されて調理容器（Ｃ）の加熱が開始されると、光源モジュール１５０の光源１５１に電流が印加されて光が発散する。光源１５１から垂直上方に発散された光は光学部材１６０の凸レンズ１７０を通過してメインスリット１８３に向かってななめに進行方向が転換されて集光される。メインスリット１８３を通過した光は補助スリット１２４を通過して調理容器（Ｃ）の下端の表面に投射される。
【０１４６】
図１９に図示された通り、調理容器（Ｃ）に投射された光は調理容器（Ｃ）の表面（Ｓ）に加工された横ヘアーライン（Ｈ）により上下方向に散乱および反射されながら実際と類似の炎イメージ（Ｆ）を形成することができる。
【０１４７】
図２１は本発明の第２実施例に係る誘導加熱調理機器の主な構成を概略的に図示した図面である。図２２は本発明の第３実施例に係る誘導加熱調理機器の主な構成を概略的に図示した図面である。図２３は本発明の第４実施例に係る誘導加熱調理機器の主な構成を概略的に図示した図面である。
【０１４８】
図２１〜図２３を参照して、本発明の第２実施例〜第４実施例に係る誘導加熱調理機器を説明する。第１実施例と同じ構成に対しては同じ図面符号を付与して説明は省略する。
【０１４９】
図２１に図示されたように、誘導加熱調理機器２００は少なくとも一部が透明材質で形成される調理パネル１２１と、調理パネル１２１の底面に設けられて補助スリット１２４を有する光遮断層１２３と、調理容器（Ｃ）を誘導加熱するように磁場を発生させる誘導コイル１３０と、複数の光源１５１が実装された印刷回路基板１５６を有する光源モジュール１５０と、光源モジュール１５０から発散された光の方向を転換させて集光させる凸レンズ１７０を有する光学部材１６０と、調理容器（Ｃ）に炎イメージを形成させるように光源モジュール１５０から発散する光を通過させるメインスリット１８３を有する光源カバー１８０を含むことができる。
【０１５０】
すなわち、本発明の第２実施例に係る誘導加熱調理機器２００は本発明の第１実施例に係る誘導加熱調理機器１００の構成要素の中で光源１５１から発散する光が使用者に直接露出されることを最小化して光源１５１を隠蔽させるように調理パネル１２１の上面に設けられる遮断膜１２７が省略されたものである。遮断膜１２７の部材によってＬＥＤ１２１の光が補助スリット１２４を通じて使用者に薄い帯の形態で直接露出されるため審美感が多少落ちることもあり得るが、炎イメージの形成には特に支障がないからである。。
【０１５１】
図２２に図示された通り、誘導加熱調理機器３００は少なくとも一部が透明材質で形成される調理パネル１２１と、調理パネル１２１の底面に設けられて補助スリット１２４を有する光遮断層１２３と、調理容器（Ｃ）を誘導加熱するように磁場を発生させる誘導コイル１３０と、複数の光源１５１が実装された印刷回路基板１５６を有する光源モジュール１５０と、調理容器（Ｃ）に炎イメージを形成させるように光源モジュール１５０から発散する光を通過させるメインスリット１８３を有する光源カバー１８０と、光源モジュール１５０の光が使用者に直接露出されることを最小化して光源１５１を隠蔽させるように調理パネル１２１の上面に設けられる遮断膜１２７を含むことができる。
【０１５２】
すなわち、本発明の第３実施例に係る誘導加熱調理機器３００は、本発明の第１実施例に係る誘導加熱調理機器１００の構成要素の中で光源モジュール１５０から発散する光の進行方向を転換させて集光させる凸レンズ１７０を有する光学部材１６０が省略されたものである。
【０１５３】
この実施例において、光源モジュール１５０から発散する光はすぐに光源カバー１８０のメインスリット１８３を通過して調理容器（Ｃ）に炎イメージを形成することができる。ただし、凸レンズ１７０を有する光学部材１６０の部材により集光度が落ちて炎イメージの明るさが弱いこともあり得るが、これはＬＥＤ１５１の出力を高めることによって補完可能である。
【０１５４】
さらに、図２３に図示された通り、誘導加熱調理機器４００は少なくとも一部が透明材質で形成される調理パネル１２１と、調理パネル１２１の底面に設けられて補助スリット１２４を有する光遮断層１２３と、調理容器（Ｃ）を誘導加熱するように磁場を発生させる誘導コイル１３０と、複数の光源１５１が実装された印刷回路基板１５６を有する光源モジュール１５０と、調理容器（Ｃ）に炎イメージを形成させるように光源モジュール１５０から発散する光を通過させるメインスリット１８３を有する光源カバー１８３を含むことができる。
【０１５５】
すなわち、本発明の第４実施例に係る誘導加熱調理機器４００は本発明の第１実施例に係る誘導加熱調理機器１００の構成要素の中で光学部材１６０と遮断膜１２７がすべて省略された形態である。
【０１５６】
図２４は本発明の第５実施例に他の誘導加熱調理機器の主な構成を概略的に図示した図面である。図２５は図２４の誘導加熱調理機器の全反射レンズの構造を図示した斜視図である。図２６は図２４の誘導加熱調理機器の全反射レンズの作用を説明するための図面である。
【０１５７】
図２４〜図２６を参照して、本発明の第５実施例に係る誘導加熱調理機器を説明する。他の実施例と同じ構成に対しては同じ図面符号を付与して説明は省略する。
【０１５８】
誘導加熱調理機器５００は光が通過する補助スリット１２４を有する調理台１２０と、調理台１２０の上に載置された調理容器（Ｃ）を誘導加熱するように磁場を発生させる誘導コイル１３０と、複数の光源１５１が実装された印刷回路基板１５６を有する光源モジュール１５０と、光源モジュール１５０から発散する光の進行方向を転換させて集光させる光学部材５６０と、調理容器（Ｃ）に炎イメージを形成させるように光源モジュール１５０から発散する光を通過させるメインスリット１８３を有する光源カバー１８０を含むことができる。
【０１５９】
光学部材５６０は全反射レンズ５７０と、全反射レンズ５７０を支持して光学部材５６０を他の付属品に結合させるベース部５６１を含むことができる。ベース部５６１は他の実施例と同一であるため説明を省略する。
【０１６０】
全反射レンズ５７０は内部に光源１５１が収容される収容空間５７１ａを有する光源収容部５７１と、光源収容部５７１の上部に緩やかに傾斜して形成されるレンズ部５７２を含むことができる。レンズ部５７２はメインスリット１８３に向かって緩やかに傾斜して形成され得る。
【０１６１】
全反射レンズ５７０は光源１５１の光が入射される入射面５７３と、光を全反射させる全反射面５７４と、全反射面５７４で反射された光が出射される出射面５７５を有することができる。入射面５７３はレンズ部５７２の下端に形成され、出射面５７５のレンズ部５７２が上端に形成され、全反射面５７４は入射面５７３と出射面５７５の間に形成され得る。
【０１６２】
入射面５７３は光を集光させるために内側に向かって膨らんで形成され得る。入射面は球面であるかまたは他の曲面であり得る。
【０１６３】
全反射面５７４は入射面５７３を通じて全反射レンズ５７０の内部に進行された光が全反射されるように適切な傾斜角を有することができる。全反射とは、光が屈折率が大きい媒質から屈折率が小さい媒質に進行する時に入射角が臨界角より大きい場合、境界面で透過せず全部反射される現象を意味する。
【０１６４】
本実施例において、光が全反射レンズ５７０から外部に進行する時、全反射レンズ５７０の全反射面５７４で入射角（θ１）が臨界角より大きくなって透過せず全部反射されるようになる。
【０１６５】
したがって、臨界角より大きい入射角（θ１）で全反射面５７４に進行した光は全反射面５７４で全部反射されて入射角（θ１）と同じ反射角（θ２）で出射面５７５に進行され得る。
【０１６６】
出射面５７５はメインスリット１８３を眺めるように設けられ、外側に膨らんで形成されて出射される光を再度集光させることができる。出射面は球面であるかまたは他の曲面であり得る。
【０１６７】
図２７は本発明の第６実施例に係る誘導加熱調理機器の主な構成を概略的に図示した図面である。図２８は図２７の誘導加熱調理機器の分割レンズの構造を図示した図面である。図２９は図２７の誘導加熱調理機器の分割レンズの作用を説明するための図面である。
【０１６８】
図２７〜図２９を参照して、本発明の第６実施例に係る誘導加熱調理機器について説明する。他の実施例と同じ構成に対しては同じ図面符号を付与して説明は省略する。
【０１６９】
誘導加熱調理機器６００は光が通過する補助スリット１２４を有する調理台１２０と、調理台１２０の上に載置された調理容器（Ｃ）を誘導加熱するように磁場を発生させる誘導コイル１３０と、複数の光源１５１が実装された印刷回路基板１５６を有する光源モジュール１５０と、光源モジュール１５０から発散する光の進行方向を転換させて集光させる光学部材６６０と、調理容器（Ｃ）に炎イメージを形成させるように光源モジュール１５０から発散する光を通過させるメインスリット１８３を有する光学カバー１８０を含むことができる。
【０１７０】
光学部材６６０は分割レンズ６７０と、分割レンズ６７０を支持して光学部材６６０を他の付属品に結合させるベース部６６１を含むことができる。ベース部６６１は他の実施例と同一であるため説明を省略する。
【０１７１】
分割レンズ６７０は光源１５１の個数だけ設けられる。分割レンズ６７０は１個の光源１５１から２個の光を形成することができる。したがって、１個の光源１５１から２個の炎イメージを形成することができる。
【０１７２】
分割レンズ６７０は中心面（Ｐ）を基準として左右対称であり得る。分割レンズ６７０は下部中心部に形成される共通入射面６７１と、中心面（Ｐ）を基準として左右にそれぞれ設けられる一対の出射面６７２、６７３を有することができる。一対の出射面６７２、６７３はメインスリット１８３に向かうように設けられ得る。
【０１７３】
共通入射面６７１を通じて入射された光は分割レンズ６７０の内部で数回反射されながら一対の出射面６７２、６７３に分岐されて進行することができる。一対の出射面６７２、６７３は光を集光するように外側に膨らんで形成され得る。一対の出射面６７２、６７３は球面または他の曲面であり得る。一対の出射面６７２、６７３から出射される光はメインスリット１８３に向かって上向き傾斜して進行することができる。
【０１７４】
このような分割レンズ６７０を使う場合に１個の光源１５１を通じて２個の炎イメージを形成することができるため、必要な光源１５１の個数を減らすことができる。ただし、炎イメージの明るさが減少され得るが、減少された炎イメージの明るさは光源１５１の出力を高くすることによって補完することができる。
【０１７５】
また、本実施例とは異なって、分割レンズは１個の共通入射面と３個以上の出射面を有して１個の光源から３個以上の光を出射させて３個以上の炎イメージを形成するように設けられることもある。
【０１７６】
図３０は本発明の第７実施例に係る誘導加熱調理機器の主な構成を概略的に図示した図面である。図３１は図３０の誘導加熱調理機器の重畳レンズの構造を図示した図面である。図３２は図３０の誘導加熱調理機器の重畳レンズの作用を説明するための図面である。
【０１７７】
図３０〜図３２を参照して、本発明の第７実施例に係る誘導加熱調理機器について説明する。他の実施例と同じ構成に対しては同じ図面符号を付与して説明は省略する。
【０１７８】
誘導加熱調理機器７００は光が通過する補助スリット１２４を有する調理台１２０と、調理台１２０の上に載置された調理容器（Ｃ）を誘導加熱するように磁場を発生させる誘導コイル１３０と、複数の光源１５１が実装された印刷回路基板１５６を有する光源モジュール１５０と、光源モジュール１５０から発散する光の進行方向を転換させて集光させる光学部材７６０と、調理容器（Ｃ）に炎イメージを形成させるように光源モジュール１５０から発散する光を通過させるメインスリット１８３を有する光源カバー１８０を含むことができる。
【０１７９】
光学部材７６０は重畳レンズ７７０と、重畳レンズ７７０を支持して光学部材７６０を他の付属品に結合させるベース部７６１を含むことができる。ベース部７６１は他の実施例と同一であるため説明を省略する。
【０１８０】
重畳レンズ７７０は光源１５１の個数の半分だけ設けられる。重畳レンズ７７０は２個の光源１５１から１個の光を形成することができる。したがって、２個の光源１５１から１個の炎イメージを形成することができる。
【０１８１】
重畳レンズ７７０は中心面（Ｐ）を基準として左右対称であり得る。重畳レンズ７７０は中心面（Ｐ）の左右側下部にそれぞれ形成される一対の入射面７７１、７７２と、中心部上部に設けられる共通出射面７７３を有することができる。共通出射面７７３はメインスリット１８３を眺めるように設けられ得る。共通出射面７７３を通じて出射された光はメインスリット１８３に向かって上向き傾斜して進行することができる。
【０１８２】
一対の入射面７７１、７７２を通じて入射された光は重畳レンズ７７０の内部で数回反射されながら共通出射面７７３に重なって進行することができる。共通出射面７７３は光を集光するように外側に膨らんで形成され得る。共通出射面７７３は球面または他の曲面であり得る。
【０１８３】
このような重畳レンズ７７０を使う場合に２個の光源１５１を通じて１個の炎イメージを形成することができるため、炎イメージの明るさを大幅に向上させることができる。
【０１８４】
また、本実施例とは異なって、重畳レンズは３個以上の入射面と１個の共通出射面を有して３個以上の光源から１個の光を出射させて１個の炎イメージを形成するように設けることもできる。
【０１８５】
図３３は本発明の第８実施例に係る誘導加熱調理機器の主な構成を概略的に図示した図面である。図３４は図３３の誘導加熱調理機器の凹面鏡の構造を図示した斜視図である。図３５は図３３の誘導加熱調理機器の凹面鏡の作用を説明するための図面である。
【０１８６】
図３３〜図３５を参照して、本発明の第８実施例に係る誘導加熱調理機器を説明する。他の実施例と同じ構成に対しては同じ図面符号を付与して説明は省略する。
【０１８７】
誘導加熱調理機器８００は光が通過する補助スリット１２４を有する調理台１２０と、調理台１２０の上に載置された調理容器（Ｃ）を誘導加熱するように磁場を発生させる誘導コイル１３０と、複数の光源１５１が実装された印刷回路基板１５６を有する光源モジュール１５０と、光源モジュール１５０から発散する光の進行方向を転換させて集光させる光学部材８６０と、調理容器（Ｃ）に炎イメージを形成させるように光源モジュール１５０から発散する光を通過させるメインスリット１８３を有する光源カバー１８０を含むことができる。
【０１８８】
光学部材８６０は凹面鏡８７０と、凹面鏡８７０を支持して光学部材８６０を他の付属品に結合させるベース部８６１を含むことができる。ベース部８６１は他の実施例と同一であるため説明を省略する。
【０１８９】
凹面鏡８７０は光をメインスリット１８３側に反射させる鏡部８７３と、鏡部８３１を支持するために鏡部８７３の下部に設けられる支持部８７１を含むことができる。鏡部８３１はメインスリット１８３側に傾斜して形成され得る。鏡部８３１の反射角を調節できるように鏡部８３１を支持部８７１に対して回転可能に設けることもできる。支持部８７１はＬＥＤ１５１が収容される収容空間８７２を有することができる。
【０１９０】
鏡部８７３はＬＥＤ１５１から発散する光をメインスリット１８３に向かって反射させる反射面８７４を有することができる。反射面８７４は光を集光させるように内側に窪んで形成され得る。反射面８７４は球面であるかまたは他の曲面であり得る。反射面８７４で反射された光はメインスリット１８３に向かって上向き傾斜して進行することができる。
【０１９１】
図３６は本発明の第９実施例に係る誘導加熱調理機器の主な構成を概略的に図示した図面である。図３７は図３６の誘導加熱調理機器の導光バーの構造を図示した図面である。図３７は図３６の誘導加熱調理機器の導光バーの反射パターンを図示した図面である。図３９は図３６の誘導加熱調理機器の導光バーの作用を説明するための図面である。
【０１９２】
図３６〜図３９を参照して、本発明の第９実施例に係る誘導加熱調理機器について説明する。他の実施例と同じ構成に対しては同じ図面符号を付与して説明は省略する。
【０１９３】
誘導加熱調理機器９００は光が通過する補助スリット１２４を有する調理台１２０と、調理台１２０の上に載置された調理容器（Ｃ）を誘導加熱するように磁場を発生させる誘導コイル１３０と、少なくとも一つの光源９５１が実装された印刷回路基板９５６を有する光源モジュール９５０と、光源モジュール９５０から発散する光の進行方向を転換させて集光させる光学部材９６０と、調理容器（Ｃ）に炎イメージを形成させるように光源モジュール９５０から発散する光を通過させるメインスリット１８３を有する光源カバー１８０を含むことができる。
【０１９４】
光学部材９６０は導光バー（９６０、Ｌｉｇｈｔｉｎｇ  Ｇｕｉｄｅ  Ｂａｒ）であり得る。
【０１９５】
本実施例において誘導加熱調理機器９００は２個の光源モジュール９５０を有し、それぞれの光源モジュール９５０は１個の印刷回路基板９５６と、１個の光源９５１を含むことができる。２個の光源モジュール９５０から発散された光は導光バー９６０を通過して複数の光に発散する。
【０１９６】
ただし、これに限定されず、誘導加熱調理機器９００は１個の光源モジュール９５０を有するかまたは３個以上の光源モジュール９５０を有することができる。印刷回路基板９５６には複数の光源９５１が実装されることもある。
【０１９７】
導光バー９６０は、概略円弧状を有し、両端にそれぞれ光源モジュール９５０が配置され得る。導光バー９６０の両端には一対の入射面９６１、９６２が形成され得る。光源モジュール９５０の印刷回路基板９５６はその上に実装されたＬＥＤ９５１が導光バー９６０の入射面９６１、９６２に向かうように概略垂直に配置され得る。
【０１９８】
ただし、これとは違って、導光バー９６０を３６０度の閉じられたリング状を有するように設けることもできる。
【０１９９】
本実施例において導光バー９６０は、扁平に形成される反射面９６３と、第１面９６４と、第２面９６５と、第３面９６６、第４面９６７を有する五角形状の断面を有するが、反射面９６３が扁平に形成される限り、三角形、四角形、円形、その他の曲面形状などの多様な形状で設けることができ、形状に制限はない。
【０２００】
反射面９６３は調理台１２０に対して傾斜して設けられ得る。反射面９６３には導光バー９６０の長さ方向に沿って所定間隔離隔するように複数の反射パターン９６４が形成され得る。反射パターン９６４は光をメインスリット１８３側に反射させることができる。また、反射パターン９６４は光を集光させるように設けられ得る。
【０２０１】
反射パターン９６４は炎イメージの個数と同じ個数で設けられ得る。すなわち、反射パターン９６４の個数だけ調理容器に炎イメージが形成され得る。反射パターン９６４は凹凸を含み、プリズム形状、球形、円柱形状などの多様な形状を有することができる。
【０２０２】
このような構成によって、導光バー９６０の長さ方向両端に設けられた一対の入射面９６１、９６２を通じて入射された光は反射面９６３の反射パターン９６４により反射されて導光バーの他の面を通じて出射され、出射された光はメインスリット１８３に向かって上向き傾斜して進行され得る。
【０２０３】
このように、本発明の実施例に係る誘導加熱調理機器は光源モジュールから発散する光を多様な形態の光学部材５６０、６６０、７６０、８６０、９６０を通じて進行方向を転換させたり集光させて実際と類似の炎イメージを形成させることができる。
【０２０４】
図４０および図４１は図１の誘導加熱調理機器の操作部を拡大して図示した図面。
【０２０５】
誘導加熱調理機器１００の出力レベルの入力を受けるための操作部１４は回転可能に設けられる操作ノブ１４ａを含むことができる。操作ノブ１４ａは時計回り（Ｃ）または反時計回り（ＣＣ）に回転することができる。
【０２０６】
操作ノブ１４ａの縁には出力レベルを表示するように出力レベルマーク１４ｂが設けられ得る。出力レベルマーク１４ｂは操作ノブ１４ａとともに回転することができる。
【０２０７】
誘導加熱調理機器１００の本体には操作ノブ１４ａにより選択された出力レベルを指示するための指示マーク１４ｃが形成され得る。指示マーク１４ｃは誘導加熱調理機器１００本体に固定される。本実施例において指示マーク１４ｃは、概略操作ノブ１４ａの上側に設けられたが、指示マーク１４ｃの位置に限定はない。
【０２０８】
使用者は誘導加熱調理機器１００を作動させる時に操作ノブ１４ａをある程度誘導加熱調理機器の本体方向に（Ｐ）加圧した後で回転させることができる。このような操作ノブ１４ａの動作方式により誘導加熱調理機器１００をさらにガスレンジのように感じることができる。
【０２０９】
使用者が操作ノブ１４ａを時計回り（Ｃ）または反時計回り（ＣＣ）に回転させると、出力レベルマーク１４ｂが操作ノブ１４ａとともに回転し、出力レベルマーク１４ｂに表示された複数の出力レベルの中で指示マーク１４ｃと対面する出力レベルが誘導加熱調理機器１０に入力され得る。
【０２１０】
例えば、使用者が操作ノブ１４ａを反時計回り（ＣＣ）に回転させると、図４１に図示された通り、操作ノブ１４ａの回転により出力レベル１、２、３、．．．９が指示マーク１４ｃと対面することになり、出力レベル１、２、３、．．．９が調理装置１に入力され得る。
【０２１１】
それだけでなく、オフ（ＯＦＦ）状態で使用者が操作ノブ１４ａを時計回り（Ｃ）に回転させると誘導加熱調理機器１に最大出力レベルが入力され得る。
【０２１２】
換言すると、オフ（ＯＦＦ）状態で使用者が操作ノブ１４ａを反時計回り（ＣＣ）に回転させると出力レベルマーク１４ｂに表示された出力レベルが順次入力され、オフ（ＯＦＦ）状態で使用者が操作ノブ１４ａを時計回りに回転させると直ちに最大出力レベルが入力され得る。
【０２１３】
本発明の権利範囲は前記説明した特定実施例にのみ限定されるものではない。特許請求の範囲に明示された本発明の技術的思想としての要旨を逸脱しない範囲内で当分野で通常の知識を有した者によって修正または変形可能な多様な実施例も本発明の権利範囲に属すると言える。
【図１】
0006622296.tif 000002
【図２】
0006622296.tif 000003
【図３】
0006622296.tif 000004
【図４】
0006622296.tif 000005
【図５】
0006622296.tif 000006
【図６】
0006622296.tif 000007
【図７】
0006622296.tif 000008
【図８】
0006622296.tif 000009
【図９】
0006622296.tif 000010
【図１０】
0006622296.tif 000011
【図１１】
0006622296.tif 000012
【図１２】
0006622296.tif 000013
【図１３】
0006622296.tif 000014
【図１４】
0006622296.tif 000015
【図１５】
0006622296.tif 000016
【図１６】
0006622296.tif 000017
【図１７】
0006622296.tif 000018
【図１８】
0006622296.tif 000019
【図１９】
0006622296.tif 000020
【図２０】
0006622296.tif 000021
【図２１】
0006622296.tif 000022
【図２２】
0006622296.tif 000023
【図２３】
0006622296.tif 000024
【図２４】
0006622296.tif 000025
【図２５】
0006622296.tif 000026
【図２６】
0006622296.tif 000027
【図２７】
0006622296.tif 000028
【図２８】
0006622296.tif 000029
【図２９】
0006622296.tif 000030
【図３０】
0006622296.tif 000031
【図３１】
0006622296.tif 000032
【図３２】
0006622296.tif 000033
【図３３】
0006622296.tif 000034
【図３４】
0006622296.tif 000035
【図３５】
0006622296.tif 000036
【図３６】
0006622296.tif 000037
【図３７】
0006622296.tif 000038
【図３８】
0006622296.tif 000039
【図３９】
0006622296.tif 000040
【図４０】
0006622296.tif 000041
【図４１】
0006622296.tif 000042